(57)【要約】【課題】  親指でボタンを押すと言うワンタッチ操作で蓋体を開けることができ、その開放が素早く且つスムーズになり、操作が容易であると共に、構造が簡単で組立分解が簡易にできる。【解決手段】  内面側に鏡面板２１を貼着し基部にヒンジ管２２を設けた蓋体２０と、底板２にヒンジ管２２が嵌る窪み部６と軸杆７を有すると共に、蓋体２０を収納できる凹部４を持つケース体１と、一端をヒンジ管２２に挿通し他端を前記軸杆７と嵌合する軸孔３４を有する有底筒軸３１と、筒軸３１内に挿嵌する蓋体２０を開放方向に付勢する捩りコイルスプリング３２と、先端を捩りコイルスプリング３２と係着し、大径胴部３３ｂに突起片３３ｃを有するボタン軸３３とからなる枢着部材３０と、その枢着部材３０を覆うカバー体４０とで構成する。ボタン軸３３を押圧することによりボタン軸３３の大径胴部３３ｂの突起片３３ｃとボタン軸覆部４２の係合溝４６の係合を解いて、蓋体２０を開放させる。【選択図】        図６
2005253733.tif 000002
【特許請求の範囲】
【請求項１】
内面側に鏡面板を貼着し基部にヒンジ管を設けた蓋体と、底板にヒンジ管が嵌る窪み部と軸杆を有すると共に、蓋体を収納できる凹部を持つケース体と、一端をヒンジ管に挿通し他端を前記軸杆と嵌合する軸孔を有する有底筒軸と、筒軸内に挿嵌する蓋体を開放方向に付勢する捩りコイルスプリングと、先端を捩りコイルスプリングと係着し、大径胴部に突起片を有するボタン軸とからなる枢着部材と、その枢着部材を覆うカバー体とで構成されており、ボタン軸を押圧することによりボタン軸の大径胴部の突起片とボタン軸覆部の係合溝の係合を解いて、蓋体を開放させるように構成したことを特徴とする携帯用鏡。
【請求項２】
ケース体は折り畳み式電話機と同じ外観形状に形成してあり、底板の周辺に立設した周壁面の内側を凹部とし、底面に拡大鏡面版を貼着してある請求項１に記載の携帯用鏡。
【請求項３】
蓋体はケース体より一回り小さい外観形状に形成してあり、基部に突出して設けたヒンジ管の一側壁にボタン軸の大径胴部の突起片と係合する係止溝を設けてある請求項１または２に記載の携帯用鏡。  
【請求項４】
枢着部材を覆うカバー体は、ボタン軸の覆部および角軸部の覆部の裏面部に設けたピン穴とケース体の周壁面に設けたピンが嵌脱自在に被着してある請求項１〜３のいずれか１項に記載の携帯用鏡。
【発明の詳細な説明】
【技術分野】
【０００１】
本発明は、鞄やポケットに入れて携帯できる折り畳み式の携帯用鏡に関するもので、さらに詳しくは、ボタンを押すことによって閉じている蓋体をワンタッチで開けるようにした携帯用鏡に関するものである。
【背景技術】
【０００２】
従来から、鞄やポケットに入れて携帯する鏡は、身だしなみを整えたり或いは化粧直しやコンタクトレンズを着脱する時などに使用するのであるが、軽量小型であって簡易に使用できることから多くの人が持ち歩いており、特に女性にとっては必須用品になっている。
【０００３】
その携帯鏡は、一般的に内面側に鏡面板を貼り付けたプラスチック製の蓋体と、その蓋体を収容する凹部を有するプラスチック製のケース体とを基端のヒンジ部で枢着された折り畳み式のものが知られている。（例えば、特許文献１〜３参照）
【０００４】
この種の折り畳み式携帯用鏡は、ケース体と蓋体をヒンジ部で結合しているので、蓋体を開ける場合、一方の手でケース体の外周部を持ち、他方の親指で蓋体の下端縁に設けた指掛け溝に指を掛け上方に向けて回動させることにより、ケース体の上方に位置させて蓋体の内面に貼着した鏡面板が現れ顔などを写し出している。
【０００５】
しかし、この携帯用鏡は、上記のように蓋体を開けるのに両手を使わなければならない煩わしさがあった。そこで、上記のような問題点を解消するものとして、本出願人は先に、特願２００３−２３５５４号公報（特許文献４参照）として、ケース体と蓋体の両側面に係合部材と離脱部材を設けて、ケース体と蓋体を閉じ合わせた際には係合部材によりケース体と蓋体を係合閉止させると共に、離脱部材の露呈部を操作することによりケース体と蓋体の係合を解き、蓋体をスプリングの付勢力により開くようにした携帯用鏡を提供して好評を得ている。
【０００６】
【特許文献１】登録実用新案第３０６８５９９号公報
【特許文献２】登録実用新案第３０９８３１０号公報
【特許文献３】実開平３−７２８１４号公報
【特許文献４】特願２００３−２３５５４号公報
【発明の開示】
【発明が解決しようとする課題】
【０００７】
しかしながら、上記の特許文献４は、片手で蓋体を開けられる便利さはあるが、両側面の離脱部材の露呈部を片手の親指と人指し指で同時に押圧しなければ開かず、両指の押すタイミングを合わさなければならず操作が難しかった。また、親指と人指し指で同時に露呈部を押圧しなければならないため、比較的手の大きな人でなければ操作がスムーズにできなかった。さらに、係合部材や離脱部材などの部品点数が多くなり、構造も複雑になって組み立てに時間がかかり高価になると言った問題点があった。
【０００８】
本発明は、上記のような問題点を解決することを課題として開発されたもので、親指でボタンを押すと言うワンタッチ操作で蓋体を開けることができ、その開放が素早く且つスムーズになり、操作が容易であると共に、構造が簡単で組み立て分解が簡易にできる携帯用鏡を提供することを目的とするものである。
【課題を解決するための手段】
【０００９】
上記の課題を解決し、その目的を達成する手段として、内面側に鏡面板を貼着し基部にヒンジ管を設けた蓋体と、底板にヒンジ管が嵌る窪み部と軸杆を有すると共に、蓋体を収納できる凹部を持つケース体と、一端をヒンジ管に挿通し他端を前記軸杆と嵌合する軸孔を有する有底筒軸と、筒軸内に挿嵌する蓋体を開放方向に付勢する捩りコイルスプリングと、先端を捩りコイルスプリングと係着し、大径胴部に突起片を有するボタン軸とからなる枢着部材と、その枢着部材を覆うカバー体とで構成されており、ボタン軸を押圧することによりボタン軸の大径胴部の突起片とボタン軸覆部の係合溝の係合を解いて、蓋体を開放させるように構成したことを特徴とする携帯用鏡を開発し、採用した。
【００１０】
また、上記のように構成した携帯用鏡において、ケース体は折り畳み式電話機と同じ外観形状に形成してあり、底板の周辺に立設した周壁面の内側を凹部とし、底面に拡大鏡面版を貼着してある携帯用鏡、および蓋体はケース体より一回り小さい外観形状に形成してあり、基部に突出して設けたヒンジ管の一側壁にボタン軸の大径胴部の突起片と係合する係止溝を設けてある携帯用鏡、および枢着部材を覆うカバー体は背面部に設けたピン孔とケース体の周壁面に設けたピンが嵌脱自在に被着してある携帯用鏡を開発し、採用した。
【発明の効果】
【００１１】
親指によるワンタッチ操作で蓋体を開くことができ、従来のような蓋体を手で開けて回動させるような両手を使う面倒な操作をする必要がなくなり、素早く蓋体を開けることができる。また、上部一側面に突出するボタンを押せばよいので操作が極めて簡易である。さらに、部品点数も少なく構造が簡単で組み立て、分解が簡易にできる。
【発明を実施するための最良の形態】
【００１２】
以下に、本発明の実施の形態を添付図面に基づいて説明すれば、本発明の携帯用鏡は、大別するとケース体１と、常態においてはケース体１に収容され使用時にケース体１の上部に位置する蓋体２０と、そのケース体１と蓋体２０の基端部の枢着部材３０と、枢着部材を覆うカバー体４０から構成されている。
【００１３】
ケース体１は、図７〜図１０に示すように、上部から下部になるにつれて徐々に幅狭く形成したプラスチック製の縦長方形状で、折り畳み式電話機と同じような外観形状になっており、略手の掌の中に入る大きさで底板２の周辺に周壁面３を立設してその周壁面３の内側に凹部４を形成してある。
【００１４】
その周壁面３の左壁面３ａと右壁面３ｂの上方部に段部５を設けて下部を高壁面に上部を低壁面に形成してあり、下部高壁面の内側の凹部４ａ内に蓋体２０が収納されている。また、底板２の上端の幅方向に断面半円形の窪み部６を設けると共に、その窪み部６の一側縁に軸杆７を垂直に立設してある。一方、下方部の底板２には拡大鏡面板８を貼着してある。
【００１５】
左壁面３ａの上部低壁面には下方に湾曲する半円形溝９を設け、その下部に上下２本のピン１０，１０を立設してあり、右壁面３ｂの上部低壁面には内方に入り込む半円状壁面１１を形成し、その中央部にストラップなどを繋ぐための取り付け軸１２を設け、その半円状壁面１１の下方にピン１３を立設してある。また、上部壁面３ｃの左右両側端部に細ピン１４，１４を設けてある。１５は下部壁面３ｄの内側面に形成した蓋体２０の受止部である。
【００１６】
蓋体２０は、図１１〜図１３に示すように、前記のケース体１と同様に上端部から下端部に向かって徐々に幅狭くなるように形成したプラスチック製の略縦長方形状のものであり、ケース体１より一回り小さく、ケース体１の凹部４内に嵌る大きさであり、内面側に鏡面板が貼着２１されている。この鏡面板２１は通常の鏡面板である。２２は蓋体２０の上端に突出する円形のヒンジ管で、そのヒンジ管２２の裏面左側端から長さ方向に短い長さの係止溝２３を設けてある。このヒンジ管２２はケース体１の基部の窪み部６に嵌合するようになっている。
【００１７】
枢着部材３０は、図２３に示すように、上記のヒンジ管２２の一端部から挿入する筒軸３１と、その筒軸３１に収容される捩りコイルスプリング３２と、ヒンジ管２２の他端部から挿入するボタン軸３３とで構成されている。
【００１８】
筒軸３１は、図１４〜図１６に示すように、一方を円筒部３１ａに、他方をその円筒部３１ａと直交する角軸部３１ｂに形成し一端を開口した有底の筒軸であり、底部に捩りコイルスプリング３２の係着部３１ｃを設けてある。そして円筒部３１ａをヒンジ管２２に挿通し、他端の角軸部３１ｂがヒンジ管２２の一端部に位置する。角軸部３１ｂの中心部には垂直方向に軸孔３４が上下面を貫通しておりケース体１の底板２の上端部に設けた軸杆７と嵌合する。
【００１９】
捩りコイルスプリング３２は、筒軸３１の円筒部３１ａの内径に嵌る外径を持ち、先端部３２ａを筒軸３１の底部に設けた係着部３１ｃに連結し、後端部３２ｂを後述のボタン軸３３の先端係着部３３ｄに繋ぎ軸方向の押圧弾発力と回動付勢力を兼ね備えている。
【００２０】
ボタン軸３３は、図１８〜図１９に示すように、後端部を押し当て部３３ａ、中間部を大径胴部３３ｂとし、その大径胴部３３ｂの外壁面に突起片３３ｃを設けると共に、先端部を二つ割りの係着部３３ｄに形成してある。このボタン軸３３は、その先端部の係着部３３ｄに捩りコイルスプリング３２の後端部３２ｂが係着され、大径胴部３３ｂはヒンジ管２２内に嵌挿できる外径であり、大径胴部３３ｂに設けた突起片３３ｃはヒンジ管２２の係止溝２３に係合する。後端部の押し当て部３３ａはケース体１の左壁面３ａに形成した半円形溝９に嵌合し、後端部が左壁面３ａから突出している。
【００２１】
枢着部材カバー体４０は、図２０〜図２２に示すように、ヒンジ管２２が嵌る空間部４１を挟んで対向するボタン軸３３の覆部４２と、ヒンジ管２２の他端部から突出する角軸部３１ｂの覆部４３と、その覆部４２の脚片４２ａと、覆部４３の脚片４３ａとを連結すると共に、覆部４２，４３より下方に落ち込んだ横長板４４とで構成され、その横長板４４の両側面４４ａ、４４ａが上部周壁面の左壁面３ａと右壁面３ｂの内部に嵌ると同時に脚片４２ａ，４３ａの背面部が左壁面３ａと右壁面３ｂの上に重なり、ケース体１の底板２の上部を被覆するように構成されている。
【００２２】
そして、ボタン軸３３の覆部４２の裏面にはボタン軸３３を嵌合し、左壁面３ａの上部に設けた半円形溝９と合致する半円形溝４５および覆部４２の下辺部には前記ボタン軸３３の突起片３３ｃと係合する係合溝４６が形成されていると共に、ケース体１の左壁面３ａに設けたピン１０，１０と嵌合するピン穴４７，４７が穿設されている。また、角軸部３１ｂの覆片４３の裏面には、角軸部３１ｂの頭部が嵌る凹所４８の中に、角軸部３１ｂの中央部に貫通したピン孔３４に嵌合するピン軸４９を設けると共に、ケース体１の右壁面３ｂに設けたピン１３と嵌るピン穴５０を穿設してある。
【００２３】
このように構成した本発明の使用状態を説明すると、常態においては、図１に示すように、ケース体１の凹部４内に蓋体２０が収納されている。この時、蓋体２０は図２４Ａ，図２４Ｂに示すように、ボタン軸３３の大径胴部３３ｂに設けた突起片３３ｃの一側端部が前記枢着部材カバー体４０のボタン軸覆部４２の係合溝４６と係合しているから、蓋体２０の解放方向に付勢する捩りコイルスプリング３３による回動力が阻止されている。
【００２４】
そのロックされた状態から蓋体２０を開放するには、上部一側面に突出するボタン軸３３の押し当て部３３ａを押すと、その先端部に係着された捩りコイルスプリング３２の押圧弾発力に抗してボタン軸３３が押し込まれ、それにともなって図２５Ａ，図２５Ｂに示すように、大径胴部３３ｂに設けた突起片３３ｃの一側端部がボタン軸覆部４２の係合溝４６との係合が解除されると同時に大径胴部３３ｂに設けた突起片３３ｃの他側部がヒンジ管２２の係止溝２３に係合しているから、捩りコイルスプリング３２の回動付勢力によってボタン軸３３と一体になってヒンジ管２２が略１８０度回動して開放され、ケース体１の上部に位置することになり、蓋体２０の内面の鏡面板２１が現れ、その鏡面板２１に顔などを映し出すことができる。
【００２５】
使用後、蓋体２０を閉じるには、蓋体２０の開放方向への付勢力に抗して下方に回動していき蓋体２０の下端縁が下部壁面３ｄの段部１６で受止されると同時に、ボタン軸３３の大径胴部３３ｂの突起片３３ｃがボタン軸覆部４２の係合溝４６に係合して閉止しロックされる。
【００２６】
上記のように構成した本発明の実施形態の作用、効果を述べると、ボタン軸３３を親指で押すだけのワンタッチ操作で且つ片手で蓋体２０の開放ができる。外観形状が折り畳み式電話機と同じで、従来の携帯用鏡にない斬新なデザインで若者に好まれる。一側面にストラップを取り付けることができ、腕や首に通してぶら下げて携帯できる便利さがある。手の掌に入る程度の大きさであることから、片手でのボタン操作が容易になる。蓋体２０の内面側に拡大鏡面板８を、ケース体１の底面に普通鏡面板２１を貼着してあるから、使用する時に使い分けることができる。枢着部材カバー体４０はピンとピン穴による結合であるから嵌脱自在に被着できる。
【００２７】
以上、本発明の一実施の形態について説明したが、本発明は、上記の実施の形態に限定されるものではなく、本発明の目的を達成でき且つ本発明の要旨を逸脱しない範囲内で種々の設計変更が可能である。
【産業上の利用可能性】
【００２８】
本発明は、折り畳み式携帯電話機と同形状のもので説明したが、四角形、円形、楕円形など種々の形状などにでも利用できるものである。
【図面の簡単な説明】
【００２９】
【図１】本発明の実施の形態を示す正面図である。
【図２】その左側面図である。
【図３】その右側面図である。
【図４】その平面図である。
【図５】図１のＡ−Ａ線断面図である。
【図６】蓋体を開いた状態の正面図である。
【図７】ケース体の正面図である。
【図８】その左側面図である。
【図９】その右側面図である。
【図１０】図７のＢ−Ｂ線断面図である。
【図１１】蓋体の正面図である。
【図１２】その背面図である。
【図１３】図１１のＣ−Ｃ線断面図である。
【図１４】筒軸の正面図である。
【図１５】その左側面図である。
【図１６】図１４のＤ―Ｄ線断面図である。
【図１７】捩りコイルスプリングの斜視図である。
【図１８】ボタン軸の正面図である。
【図１９】その左側面図である。
【図２０】枢着部材カバー体の正面図である。
【図２１】その背面図である。
【図２２】図２０のＥ−Ｅ線断面図である。
【図２３】組み立て前の枢着部材の斜視図である。
【図２４】蓋体閉止時の説明図である。
【図２５】蓋体開放時の説明図である。
【符号の説明】
【００３０】
１      ケース体
２      底板
４      凹部
６      窪み部
７      軸杆
８      拡大鏡面板
１０    ピン
１３    ピン
１４    細ピン
２０    蓋体
２１    鏡面板
２２    ヒンジ管
２３    係止溝
３０    枢着部材
３１    筒軸
３２    捩れコイルスプリング
３３    ボタン軸
３３ｂ  大径胴部
３３ｃ  突起片
３４    軸孔
４０    枢着部材カバー体
４２    ボタン軸覆部
４３    角軸部覆部
４６    係合溝
４７    ピン穴
５０    ピン穴
【図１】
2005253733.tif 000003
【図２】
2005253733.tif 000004
【図３】
2005253733.tif 000005
【図４】
2005253733.tif 000006
【図５】
2005253733.tif 000007
【図６】
2005253733.tif 000008
【図７】
2005253733.tif 000009
【図８】
2005253733.tif 000010
【図９】
2005253733.tif 000011
【図１０】
2005253733.tif 000012
【図１１】
2005253733.tif 000013
【図１２】
2005253733.tif 000014
【図１３】
2005253733.tif 000015
【図１４】
2005253733.tif 000016
【図１５】
2005253733.tif 000017
【図１６】
2005253733.tif 000018
【図１７】
2005253733.tif 000019
【図１８】
2005253733.tif 000020
【図１９】
2005253733.tif 000021
【図２０】
2005253733.tif 000022
【図２１】
2005253733.tif 000023
【図２２】
2005253733.tif 000024
【図２３】
2005253733.tif 000025
【図２４】
2005253733.tif 000026
【図２５】
2005253733.tif 000027